(57)【要約】【課題】  乳房の蛍光画像を容易に、かつほぼ実倍率で取得する。【解決手段】  予め癌等の腫瘍に対する親和性を有する蛍光試薬が投与されている被検者の乳房を撮影台９に配置し、撮影に適した状態となるように圧迫板７により圧迫し、圧迫板側から励起光L2を照射する。励起光L2を照射している状態で、センサ走査部32は、ラインセンサ31をＹ方向へ走査する。ラインセンサ31の各フォトダイオードは、乳房８から発せられる蛍光の光強度を検出し、蛍光画像生成部33へ出力する。蛍光画像生成部33では、各フォトダイオードの出力を一旦全て記録し、走査の終了後に、これらの検出結果に基づいて、蛍光画像を生成する。生成された蛍光画像は、乳房８に投与された蛍光試薬の分布状態をほぼ実倍率で取得した画像となる。蛍光画像生成部33で生成された蛍光画像は、不図示の画像記録部へ出力され、必要に応じて読み出される。【選択図】          図２
2006026016.tif 000002
【特許請求の範囲】
【請求項１】
励起光を乳房へ照射する励起光照射手段と、該励起光を照射された前記乳房から発せられた蛍光の光強度を検出する光検出手段と、該光検出手段の検出結果に基づいて蛍光画像を生成する蛍光画像生成手段とを有する乳房用蛍光画像取得装置において、
前記光検出手段が、2次元状の平面検出領域内で前記蛍光の光強度を検出するものであり、
前記励起光照射手段が前記平面検出領域に対して、略垂直に前記励起光を射出するものであることを特徴とする乳房蛍光画像取得装置。
【請求項２】
前記光検出手段が、多数の光検出素子が列設されたラインセンサおよび該ラインセンサを前記平面検出領域内で走査するセンサ走査手段からなることを特徴とする請求項１記載の乳房蛍光画像取得装置。
【請求項３】
前記励起光照射手段が、ライン光源および該ライン光源を走査する光源走査手段からなることを特徴とする請求項１または２記載の乳房蛍光画像取得装置。
【請求項４】
乳房の画像情報を担持する放射線が照射されることにより前記画像情報を記録する画像記録媒体と、該画像記録媒体から前記画像情報を読み出して、前記乳房の放射線画像を生成する放射線画像生成手段とからなる放射線画像取得手段と
前記蛍光画像および前記放射線画像を同時に表示する表示手段とを備えたことを特徴とする請求項１から３いずれか1項記載の乳房蛍光画像取得装置。
【請求項５】
前記放射線画像取得手段が、前記放射線画像を取得する際に前記乳房を圧迫する圧迫手段を有するものであり、
前記画像記録媒体および前記光検出手段が、前記圧迫手段に設けられていることを特徴とする請求項４記載の乳房蛍光画像取得装置。
【請求項６】
前記圧迫手段が対向する一対の圧迫板からなり、
前記画像記録媒体および前記光検出手段が、一方の圧迫板に設けられるものであり、
前記励起光照射手段が、他方の圧迫板に設けられていることを特徴とする請求項５記載の乳房蛍光画像取得装置。
【請求項７】
前記乳房には、異常組織に対する親和性を有する蛍光試薬が予め投与され、前記蛍光が前記蛍光試薬から主に発せられるものであることを特徴とする請求項１から６いずれか1項記載の乳房蛍光画像取得装置。
【発明の詳細な説明】
【技術分野】
【０００１】
本発明は、乳房の蛍光画像を取得する乳房蛍光画像取得装置に関するものである。
【背景技術】
【０００２】
近年、乳房に生じる異常組織を早期発見可能な装置の開発が強く望まれ、そのひとつとして励起光を乳房へ照射し、乳房から発せられた蛍光を検出することにより乳房の蛍光画像を取得する乳房蛍光画像取得装置の開発が進められている。例えば、Ｘ線マンモグラフィを撮影する場合に使用されるような乳房用の2枚の圧迫板それぞれにセンサ部を設け、圧迫板の配置されていない種々の方向から励起光を照射することにより乳房の蛍光画像を取得し、乳房から発せられる蛍光の分布状態を3次元的に検出する乳房蛍光画像取得装置が提案されている（例えば特許文献１参照）。
【特許文献１】特開２００４−１７７４０８号公報
【発明の開示】
【発明が解決しようとする課題】
【０００３】
現在、乳房の検診等に使用されているＸ線マンモグラフィ装置は、乳房における石灰化部位の検出においては高分解能でかつ高精度に検出可能であるが、腫瘤の検出精度はあまり高くはない。一方乳房蛍光画像取得装置は、分解能はＸ線マンモグラフィ装置に比べ劣るが、腫瘤の有無を高い精度で検出可能である。このため、乳房蛍光画像取得装置の早期の実用化が強く望まれている。しかしながら、上記の特許文献１に記載されている乳房蛍光画像取得装置においては、蛍光の発生分布状態を3次元的に検出るために、励起光を種々の角度で入射する必要があり、装置の複雑化あるいは蛍光画像を取得するために必要な時間および手間が増大するという問題がある。
【０００４】
本発明は上記事情に鑑みて、乳房の蛍光画像を、簡便な装置で、容易に取得可能な乳房蛍光画像取得装置を提供することを目的とするものである。
【課題を解決するための手段】
【０００５】
本発明による乳房蛍光画像取得装置は、励起光を乳房へ照射する励起光照射手段と、該励起光を照射された前記乳房から発せられた蛍光の光強度を検出する光検出手段と、該光検出手段の検出結果に基づいて蛍光画像を生成する蛍光画像生成手段とを有する乳房用蛍光画像取得装置において、
前記光検出手段が、2次元状の平面検出領域内で前記蛍光の光強度を検出するものであり、
前記励起光照射手段が前記平面検出領域に対して、略垂直に前記励起光を射出するものであることを特徴とするものである。
【０００６】
なお、「光検出手段」は、多数の光検出素子が二次元状に平面検出領域全域に分布したものであってもよいし、あるいは多数の光検出素子がライン状に列設されたラインセンサが2次元状の平面検出領域内を移動することにより検出を行うものであってもよい。また、１つ以上の光検出素子が、2次元状の平面検出領域内を移動することにより検出を行うものであってもよい。
【０００７】
「励起光照射手段」は、平面検出領域に対して、略垂直に前記励起光を射出するものであれば如何なるものであってもよく、例えば指向性のよい励起光を射出する多数の発光素子が２次元状に配置されたもの、あるいは指向性のよいライン状の励起光を平面検出領域に対応させて移動させるもの、また、指向性のよい点状の励起光を平面検出領域へ対応させて２次元状に移動させるものであってもよい。さらには、平面検出領域から遠方に配置された点光源から励起光を射出するものであってもよい。なお、「略垂直」とは、８０度以上１００度以下を意味している。
【０００８】
前記光検出手段は、多数の光検出素子が列設されたラインセンサおよび該ラインセンサを前記平面検出領域内で走査するセンサ走査手段からなるものであってもよい。
【０００９】
また、前記励起光照射手段は、ライン光源および該ライン光源を走査する光源走査手段とからなるものであってもよい。
【００１０】
また、本乳房蛍光画像取得装置は、乳房の画像情報を担持する放射線が照射されることにより前記画像情報を記録する画像記録媒体と、該画像記録媒体から前記画像情報を読み出して、乳房の放射線画像を生成する放射線画像生成手段とからなる放射線画像取得手段と、
前記蛍光画像および前記放射先画像を同時に表示する表示手段とを備えたものであってもよい。
【００１１】
ここで「画像記録媒体」とは、「画像情報を担持する放射線が照射されることにより前記画像情報を記録する記録媒体」であれば如何なるものであってもよい。例えば、放射線画像情報を電荷潜像として記録する静電記録体や、放射線画像情報を蓄積する蓄積性蛍光体を支持体上に積層した蓄積性蛍光体シート等である。
【００１２】
静電記録体は、照射された放射線の線量に応じた量の電荷を静電記録体内の蓄電部に潜像電荷として蓄積させ、放射線画像情報を電荷潜像として記録する。この電荷線像（画像情報）を読み出す電荷読取プロセスとしては、ＴＦＴ読出方式と光読出方式とが知られている。ＴＦＴ読出方式とは、ＴＦＴを走査駆動して、蓄電部に蓄積した潜像電荷を画像信号に変換して出力するものであり、光読出方式とは、読取り用の電磁波（一般には可視光が用いられる）を照射して蓄電部に蓄積した潜像電荷を画像信号に変換して出力するものである。
【００１３】
また、蓄積性蛍光体シートとは、蓄積性蛍光体に画像情報を担持した放射線を照射すると、この放射線エネルギーの一部が蓄積されるものである。画像情報を読み出す際には、可視光やレーザ光などの励起光を照射することにより、蓄積された放射線エネルギーに応じた輝尽発光光を射出させ、この輝尽発光光を光電変換して画像信号を得る。
【００１４】
前記放射線画像取得手段が、前記放射線画像を取得する際に前記乳房を圧迫する圧迫手段を有するものであれば、前記画像記録媒体および前記光検出手段は、前記圧迫手段に設けられるものであってもよい。
【００１５】
前記圧迫手段が対向する一対の圧迫板からなり、前記画像記録媒体および前記光検出手段が一方の圧迫板に設けられ、前記励起光照射手段が、他方の圧迫板に設けられるものであってもよい。
【００１６】
前記乳房に異常組織に対する親和性を有する蛍光試薬が予め投与され、前記蛍光が前記蛍光試薬から主に発せられるものであってもよい。
【発明の効果】
【００１７】
本発明の乳房蛍光画像取得装置では、乳房から発せられる蛍光を検出する光検出手段が、2次元状の平面検出領域内で蛍光の光強度を検出し、乳房へ励起光を照射する励起光照射手段が平面検出領域に対して、略垂直に励起光を射出することにより、乳房の蛍光画像を簡便な装置で、容易に取得することができる。
【００１８】
また、光検出手段が、多数の光検出素子が列設されたラインセンサおよび該ラインセンサを前記平面検出領域内で走査するセンサ走査手段からなるものであれば、取り扱いが容易であり、また安価なラインセンサを用いて蛍光画像を取得することができる。また、2次元状のセンサを設ける必要がないため、他の検査装置例えば乳房用のＸ線画像取得装置（マンモグラフィ）などとの組み合わせが容易になる。
【００１９】
励起光照射手段が、ライン光源および該ライン光源を走査する光源走査手段からなるものであれば、励起光照射手段の配置の自由度が向上する。
【００２０】
放射線画像取得手段を備え、蛍光画像および放射線画像を同時に表示するものであれば、蛍光画像と放射線画像乳房とを容易に比較することができる。
【００２１】
放射線画像取得手段の前記画像記録媒体および光検出手段が、乳房を圧迫する圧迫手段に設けられるものであれば、光検出手段を配置するためのスペースを別個に確保する必要がない。また取得した放射線画像における乳房の配置状態と蛍光画像における乳房の配置状態が同一の状態となり、放射線画像と蛍光画像を比較する際に比較精度が向上する。
【００２２】
画像記録媒体および光検出手段が、乳房を圧迫する一方の圧迫板に設けられるものであり、前記励起光照射手段が他方の圧迫板に設けられるものであれば、乳房蛍光画像取得装置を配置するためのスペースがほぼ不要になり、装置の利便性が向上する。
【００２３】
乳房には、異常組織に対する親和性を有する蛍光試薬が予め投与され、蛍光が蛍光試薬から主に発せられるものであれば、取得された蛍光画像を観察することにより容易に異常組織を視認することができる。
【発明を実施するための最良の形態】
【００２４】
以下、図面を参照して本発明の実施の形態について詳細に説明する。図１は本発明による第１の実施形態である乳房蛍光画像取得装置を適用した乳房画像撮影システムの概略図であり、図２は撮影台９の概略構成図である。
【００２５】
この乳房画像撮影システムは、内部にＸ線L1を射出する放射線源２および励起光L2を射出する励起光光源４を収納する放射線源収納部３と、撮影台９とが対向するようアーム５によって連結され、このアーム５が基台６に取り付けられて構成されているものである。さらに、アーム５には、撮影台９上に上から乳房８を押さえつけて保持する圧迫板７が設けられている。なお、圧迫板７は、Ｘ線L1および励起光L2を透過する素材により形成されている。また、撮影台９は本発明の圧迫板としても機能するものであり、撮影台９および圧迫板７は、本発明の圧迫手段を構成するものである。
【００２６】
放射線源収納部３内に収容された励起光光源４は、図１に示すように、矢印方向へ移動可能であり、放射線源２からＸ線L1が射出される際には、Ｘ線L1の光路から退避し、励起光L2を射出する際には、放射線源２の下へ移動するものである。
【００２７】
撮影台９は、図２に示すように、筐体20と、該筐体20内に配置されるＸ線画像取得部21と、同じく筐体20内に配置される蛍光画像取得部22とから構成されている。なお、蛍光画像取得部22は、筐体20内の乳房配置側に設けられている。また、筐体20の乳房配置側の面24は、Ｘ線L1および乳房８から発せられる蛍光L3を透過し、励起光L2はカットする素材から形成されている。
【００２８】
Ｘ線画像取得部21は、画像記録媒体として光読出式の静電記録体を用いたものであり、乳房８の画像情報を担持するＸ線が照射されることにより、乳房の画像情報を記録する静電記録体26と、該静電記録体26から画像情報を読み出すための読出光を射出するライン光源27と、該ライン光源27を走査する光源走査部28と、読出光の照射により静電記録体26から読み出された画像信号から乳房のＸ線画像を生成するＸ線画像生成部28とから構成されている。
【００２９】
静電記録体26は、放射線画像情報を静電潜像として記録し、読取光で走査されることにより静電潜像に応じた電流を発生するものである。静電記録体26は、記録面が筐体20の上面に対して平行になるように配置されている。ライン光源27は、静電記録体10の記録面と平行かつ筐体20がアーム５と接続されている面と平行な方向、すなわち図中Ｙ方向へ延びる光源である。光源走査部28は、ライン光源27の長手方向と直交しかつ静電記録体10と平行な方向、すなわち図中Ｚ方向へ、ライン光源27を走査するものである。
【００３０】
蛍光画像取得部22は、蛍光L3を検出する多数のフォトダイオードが列設されたラインセンサ31と、該ラインセンサを走査するセンサ走査部32と、該ラインセンサから出力された蛍光情報に基づいて、乳房の蛍光画像を生成する蛍光画像生成部33とから構成されている。なお、ラインセンサ31およびセンサ走査部32は、本発明の光検出手段として機能するものである。
【００３１】
図３は、蛍光画像取得部22を図１における上方向から見た図であり、この図に示すように、ラインセンサ31は、静電記録体10の記録面と平行かつ筐体20がアーム５と接続されている面と平行な方向、すなわち図中Ｙ方向へ延びるセンサである。またセンサ走査部32は、ラインセンサ31の長手方向と直交しかつ静電記録体10と平行な方向、すなわち図中Ｚ方向へ、ラインセンサ31を走査するものである。ラインセンサ31に設けられた各フォトダイオードの出力は、蛍光画像生成部33へ出力される。なお、ライン光源27およびラインセンサ31は、Ｘ線L1が乳房８へ爆射される際には、Ｘ線L1の光路を妨げることのないように、撮影台９の端部へ退避している。
【００３２】
以下まず、Ｘ線画像の取得方法について説明する。被検者の乳房８を撮影台９および圧迫板７の間に配置し、撮影に適した状態となるように圧迫板７により圧迫する。Ｘ線を乳房８へ爆射し、乳房８を透過したＸ線、すなわち乳房８のＸ線画像情報を担持するＸ線を静電記録体26に照射する。乳房８のＸ線画像情報は、静電潜像として静電記録体26へ記録される。
【００３３】
読取光を射出しているライン光源27を光源走査部28により移動することにより、静電記録体26は読取光により露光走査され、静電潜像に応じた電流が出力される。Ｘ線画像生成部28においては、該電流を検出し、この検出値に基づいてＸ線画像を生成する。生成されたＸ線画像は、不図示の画像記録部へ出力され、必要に応じて読み出される。
【００３４】
次に蛍光画像の取得方法について説明する。なお、予め被験者は、異常組織、とくに癌等の腫瘍に対する親和性を有する蛍光試薬が投与されている。この蛍光試薬から発せられる蛍光を撮像することにより、容易に異常組織を見つけることができる。また、蛍光試薬としては、人体を透過しやすい近赤外光領域の光が照射されることにより、近赤外領域の光を発する試薬を使用することが望ましい。
【００３５】
蛍光画像の取得は、Ｘ線画像の取得の前または後に、乳房８を圧迫した状態で行うことが好ましい。まず、放射線源収納部３内に収容された励起光光源４を、放射線源２の下の照射位置へ移動させ、励起光L2を射出する。なお、励起光光源４としては、蛍光試薬の種類に応じた波長の励起光L2を射出する光源が用いられている。近赤外線LEDあるいは近赤外線レーザ等が好ましい。
【００３６】
励起光L2を照射している状態で、センサ走査部32は、ラインセンサ31をＹ方向へ走査する。ラインセンサ31の各フォトダイオードは、乳房８から発せられる蛍光L3の光強度を検出し、蛍光画像生成部33へ出力する。蛍光画像生成部33では、各フォトダイオードの出力を一旦全て記録し、センサ走査部32による走査の終了後に、これらの検出結果に基づいて、蛍光画像を生成する。生成された蛍光画像は、乳房８に投与された蛍光試薬の分布状態を反映した画像となる。蛍光画像生成部33で生成された蛍光画像は、不図示の画像記録部へ出力され、必要に応じて読み出される。
【００３７】
なお、乳房８のＸ線画像を取得する際には、通常、乳房８を水平方向へ圧迫して撮影を行う頭尾方向撮影および乳房８を斜め方向へ圧迫して撮影を行う内外斜位方向撮影の２方向からの撮影を行う。蛍光画像も同様に２方向から画像取得を行うことが好ましい。
【００３８】
観察者は、Ｘ線画像および蛍光画像を取得後に図４に示すように不図示の表示部へ各画像を表示する。この際、頭尾方向から撮影した左右の乳房のＸ線画像41Aおよび41Bの隣に、頭尾方向から取得した左右の乳房の蛍光画像42Aおよび42Aを表示し、また内外斜位方向から撮影したＸ線画像43Aおよび43Bの隣に、内外斜位方向から取得した蛍光画像44Aおよび44Bを表示する。Ｘ線画像も蛍光画像も、乳房が圧迫された状態で、かつほほ同倍率で取得された画像であるため、Ｘ線画像と蛍光画像を容易に比較することができる。また、Ｘ線画像を読影する場合とほぼ同じ感覚で、蛍光画像を読影することができ、容易に発光している異常組織45を視認することができる。
【００３９】
さらに、同方向から取得したＸ線画像と蛍光画像とを重畳した重畳画像46A、46B、47Aおよび47Bを形成して表示してもよい。重畳画像46A、46B、47Aおよび47Bを観察することにより、石灰化48の状態および蛍光を発している異常組織45の状態を同時に視認することができる。
【００４０】
また、各体位で取得した蛍光画像は、乳房から発せられた蛍光の２次元分布状態を投影した画像であり、1枚の画像のみでは蛍光の３次元分布状態を視認することは困難である。しかし、上記のようにＸ線画像と同様に複数方向から取得した蛍光画像を表示することにより、観察者、特にＸ線画像の読影技術を有する観察者は、容易に異常組織の３次元分布状態を認識することができる。
【００４１】
さらに、本実施の形態における乳房画像撮影システムでは、乳房８から発せられる蛍光L3を検出する光検出手段が、多数のフォトダイオードが列設されたラインセンサ31および該ラインセンサ31を走査するセンサ走査部32から構成されているため、取り扱いが容易であり、また安価なラインセンサを用いて蛍光画像を取得することができる。また、2次元状のセンサを設ける必要がないため、Ｘ線画像取得装置と容易に組み合わせることができる。
【００４２】
また、静電記録体26および蛍光画像取得部22が、撮影台９に設けられているため、蛍光画像取得部22を配置するためのスペースを、特に別個に確保する必要がない。
【００４３】
また、乳房８には、異常組織に対する親和性を有する蛍光試薬が予め投与され、蛍光が蛍光試薬から主に発せられるものであるため、取得された蛍光画像を観察することにより容易に異常組織を視認することができる。
【００４４】
次に、本発明の第２の実施形態である乳房画像撮影システムを図５に示して説明する。図５は、乳房画像撮影システムの概略構成図であり、図６は励起光照射部53の概略構成図である。なお図５においては、図１中の要素と同等の要素には同番号を付してあり、それらについての説明は特に必要の無い限り省略する。
【００４５】
この乳房画像撮影システムは、内部にＸ線L1を射出する放射線源２を収納する放射線源収納部51と、撮影台９とが対向するようアーム５によって連結され、このアーム５が基台６に取り付けられて構成されているものである。さらに、アーム５には、撮影台９上に上から乳房８を押さえつけて保持する圧迫部52が設けられている。なお、圧迫部52は、Ｘ線L1および励起光L4を透過する素材により形成された筐体であり、その内部には、励起光照射部53が収容されている。
【００４６】
圧迫部52に収容された励起光照射部53は、図６に示すように、励起光L4を射出する多数の半導体レーザが列設されたライン光源54と、該ライン光源54を走査する光源走査部55とから構成されている。ライン光源54は、図中Ｙ方向へ延びる光源である。光源走査部55は、ライン光源54の長手方向と直交するＺ方向へ、ライン光源54を走査するものである。なお、ライン光源54は、Ｘ線L1が乳房８へ爆射される際には、Ｘ線L1の光路を妨げることのないように、圧迫部52の端部へ退避している。
【００４７】
蛍光画像を取得する際には、乳房８は、撮影台９および圧迫部52により圧迫されている。まず、圧迫部52に収容されたライン光源54の核半導体レーザから励起光L4を射出しながら、光源走査部55によりライン光源54をZ方向へ移動させる。センサ走査部32は、ライン光源54の移動と同期させて、ラインセンサ31をＹ方向へ走査する。励起光L4は、撮影台９の上側の面24によりカットされるため、ラインセンサ31の各フォトダイオードは、乳房８から発せられる蛍光L5の光強度を検出し、蛍光画像生成部33へ出力する。蛍光画像生成部33では、各フォトダイオードの出力を一旦全て記録し、センサ走査部32による走査の終了後に、これらの検出結果に基づいて、蛍光画像を生成し、不図示の画像記録部へ出力する。
【００４８】
第2の実施の形態である乳房画像撮影システムでは、第1の実施の形態における乳房画像撮影システムと同様な効果に加え、励起光照射部53が、ライン光源54および該ライン光源を走査する光源走査部55からなり、圧迫部52に収容されているため、乳房蛍光画像取得装置を配置するためのスペースがほぼ不要になり、装置の利便性が向上する。また、励起光L4が、乳房８の近傍に配置された半導体レーザから射出されるため、各々の半導体レーザから射出される励起光L4の光強度が小さくとも、鮮明な蛍光画像を取得することができる。
【００４９】
なお各実施の形態においては、蛍光画像生成部が撮影台９内に設けられたがこれに限定されるものではない。例えばＸ線画像取得部および蛍光画像取得部が、撮影台９から取り外し可能なカセット式に構成されている場合等には、蛍光画像生成部の代わりに、ラインセンサからの出力データを記憶するメモリをカセット内に設け、蛍光画像生成部は異なる場所に設けてもよい。例えば、コンピュータにおけるソフト処理機能が蛍光画像生成部として機能するものであってもよい。
【００５０】
また、放射線画像取得部で使用される画像記録媒体として、光読出方式の静電記録体を用いたが、これに限定されるものではなく、例えば蓄積性蛍光体シート等を用いてもよい。またＴＦＴ読出方式の静電記録体を用いることもでき、この場合には、ＴＦＴを走査駆動して、画像情報を読み出せばよい。なお、放射線画像取得部は、Ｘ線フィルムを用いたものであってもよい。
【００５１】
さらに、光検出部として、ラインセンサおよびセンサ走査部を用いたが、光検出部は、光検出素子を２次元状に分布させた２次元センサであってもよい。なお、Ｘ線画像取得部と組み合わせる場合には、Ｘ線画像を取得する際に、２次元センサを退避させる必要がある。また、光検出部としては、ひとつの光検出素子を２次元状に走査させるものであってもよい。
【００５２】
また、各実施の形態においては、予め蛍光試薬を投与したが、これに限定されものではない。ある種の、例えば癌等の異常組織は正常組織に比べ僅かではあるが強い蛍光を発する傾向がある。励起光の強度および波長を適切に選択し、かつ光検出部の検出感度を上げることにより、蛍光試薬を投与せずに蛍光画像を取得することができる。
【００５３】
また、ラインセンサ31の受光部前面に光コリーメータを設けてもよく、この場合にはより高精度な蛍光画像を取得することができる。
【図面の簡単な説明】
【００５４】
【図１】本発明の第１の実施の形態の乳房蛍光画像取得装置を適用した乳房画像撮影システムの概略図
【図２】撮影台９の概略構成図
【図３】蛍光画像取得部の概略図
【図４】Ｘ線画像、蛍光画像および重畳画像の説明図
【図５】本発明の第２の実施の形態の乳房蛍光画像取得装置を適用した乳房画像撮影システムの概略図
【図６】励起光照射部の説明図
【符号の説明】
【００５５】
２    放射線源
３,51    放射線源収納部
４    励起光光源
５    アーム
６    基台
７    保持板
８    乳房
９    撮影台
20    筐体
21    Ｘ線画像取得部
22    蛍光画像取得部
31    ラインセンサ
32    センサ走査部
33    蛍光画像生成部
26    静電記録体
52    圧迫部
53    励起光照射部
54    ライン光源
55    光源走査部
【図１】
2006026016.tif 000003
【図２】
2006026016.tif 000004
【図３】
2006026016.tif 000005
【図４】
2006026016.tif 000006
【図５】
2006026016.tif 000007
【図６】
2006026016.tif 000008